(57)【特許請求の範囲】
【請求項１】
吊元から吊下げ用部材により吊り下げられた状態で作業用の足場として機能する作業用ゴンドラであって、
立設された杭の四方のうち三方を囲い残りの一方向を開放した形状を有し、
前記吊元は、前記開放した一方向に沿って前記杭へ近づく向きと前記杭から離れる向きとに移動可能であることを特徴とする作業用ゴンドラ。
【請求項２】
前記吊元側からの視点で三角形の頂点に位置する三カ所で前記吊下げ用部材により吊られることを特徴とする請求項１に記載の作業用ゴンドラ。
【請求項３】
吊元から吊下げ用部材により吊り下げられた状態で作業用の足場として機能する作業用ゴンドラであって、
立設された杭の四方のうち三方を囲い残りの一方向を開放した形状を有し、
前記吊元側からの視点で三角形の頂点に位置する三カ所で前記吊下げ用部材により吊られることを特徴とする作業用ゴンドラ。
【請求項４】
前記吊下げ用部材に吊られる前記三カ所は、前記足場の内周側に位置することを特徴とする請求項２または請求項３に記載の作業用ゴンドラ。
【発明の詳細な説明】
【技術分野】
【０００１】
本発明は、作業用ゴンドラに関する。
【背景技術】
【０００２】
作業員が高所で作業するための作業用ゴンドラが知られている。作業用ゴンドラは、吊元からワイヤーロープにより吊り下げられた状態で作業用の足場として機能する。
【０００３】
これまで、仮構台等の構築物を建設する際、当該構築物の一部となる支持杭に対して、中央に穴を有する形状（中穴型）のゴンドラを挿入し、当該ゴンドラを足場に使用して作業を行う工法が知られている（非特許文献１参照）。
【先行技術文献】
【非特許文献】
【０００４】
【非特許文献１】ＫＯＳＭＯＳゴンドラ工法、［online］、［平成２７年１月２６日検索］、インターネット〈URL：http://www.kosmos-gd.jp/index.html〉
【発明の概要】
【発明が解決しようとする課題】
【０００５】
前記中穴型のゴンドラを使用する工法においては、ゴンドラよりも上方あるいは下方において支持杭に鋼材等が取り付けられた後は、ゴンドラを上方あるいは下方へ移動（昇降）させたときに当該鋼材等とゴンドラとが干渉する。そのため、支持杭へ既に鋼材等が取り付けられている側へは、ゴンドラを移動させることができなかった。つまり、ゴンドラの移動の自由度がある程度制限されていた。
【０００６】
本発明は上述の課題に鑑みてなされたものであり、移動の自由度を向上させて作業のさらなる効率化を実現する作業用ゴンドラを提供する。
【課題を解決するための手段】
【０００７】
本発明の態様の一つは、吊元から吊下げ用部材により吊り下げられた状態で作業用の足場として機能する作業用ゴンドラであって、立設された杭の四方のうち三方を囲い残りの一方向を開放した形状を有する。
【０００８】
当該構成によれば、作業用ゴンドラは、作業対象となる杭の四方を完全に囲う形状ではなく、一方向が開放された形状となっている。従って、当該開放された箇所を利用して、作業用ゴンドラを杭から一旦離間させてから、昇降させ、その後、杭へ接近させることで、杭に取り付けられた鋼材等との接触を避けて、作業用ゴンドラを杭に対して上下移動させることができる。つまり、作業用ゴンドラの移動の自由度が向上し、作業用ゴンドラを使用した作業の効率化が実現する。
【０００９】
本発明の態様の一つは、前記吊元は、前記開放した一方向に沿って前記杭へ近づく向きと前記杭から離れる向きとに移動可能であるとしてもよい。
また、本発明の態様の一つは、作業用ゴンドラは、前記吊元側からの視点で三角形の頂点に位置する三カ所で前記吊下げ用部材により吊られるとしてもよい。
本発明の態様の一つは、前記吊下げ用部材に吊られる前記三カ所は、前記足場の内周側に位置するとしてもよい。
【００１０】
本発明の技術的思想は、作業用ゴンドラという物以外によっても実現される。例えば、本発明は、作業用ゴンドラを使用した構築物の建設や解体等の工法をも提供すると言える。
【図面の簡単な説明】
【００１１】
【図１】構築物の一部等を一側面から例示する図。
【図２】ゴンドラを例示する斜視図。
【図３】ゴンドラの形状を上方からの視点により例示する図。
【図４】各吊元を含む構成を例示する斜視図。
【発明を実施するための形態】
【００１２】
図１は、建設途中の構築物１０の一部等を、一側面から例示している。構築物１０は、例えば、仮構台である。仮構台とは、例えば橋梁や高速道路といった構築物を建設するために建設される（一時的に建設され、その後、解体される）巨大な足場である。ただし、構築物１０が具体的に何であるかは本実施形態では特に問わない。
【００１３】
図１の例では、構築物１０は、基本的には鉛直方向を向いて地面に所定間隔で立設される複数本の杭１１、複数本の杭１１の上端部において、基本的には水平方向を向いて固定される主桁１４、主桁１４よりも下方において、杭１１間を繋ぐように固定される複数の鋼材１２，１３等を含む。本明細書において、各構成の方向について、鉛直、水平、平行、等と表現した場合、それらは厳密な鉛直、水平、平行だけを意味するのではなく、現実に生じ得る若干の誤差を含んだ状態をも指すものとする。
【００１４】
鋼材１２は、主桁１４と同様に、基本的には水平方向を向いて固定される。鋼材１３は、杭１１に対して斜めに固定され、筋交いとして機能する。図示は省略しているが、図１に示した構成と同様の構成が複数、互いに鋼材１２，１３等で接続し合って図１の奥行き方向にも存在するものとする。主桁１４の上には、不図示の鉄板が敷設される。このような鉄板の上に、橋梁や高速道路といった構築物を建設するために必要な各種重機が乗せられる。
【００１５】
図１に例示したように、作業用の足場の一つとして機能する作業用ゴンドラ（以下、ゴンドラ２０）が、作業対象となる杭１１に対して取り付けられる。ゴンドラ２０へ作業員が乗ることにより、作業対象の杭１１への鋼材１２，１３等の固定作業や、鋼材１２，１３等の除去作業が行われる。図１では図示を省略しているが、ゴンドラ２０は、杭１１の上端部付近に設けられた吊元から、吊下げ用部材の一例としてのワイヤーロープ３０により吊り下げられた状態となる。
【００１６】
図２は、ゴンドラ２０を斜視図により例示し、図３は、ゴンドラ２０の形状を上方からの視点（吊元側からの視点）により例示している。ゴンドラ２０は、杭１１を囲む四方（方向Ｄ１，Ｄ２，Ｄ３，Ｄ４）のうち三方を囲い、残りの一方向を開放した形状（以下、一方向開放形状とも言う。）を有する。具体的には、ゴンドラ２０は、一方向開放形状の床２１の縁（外周及び内周）に沿って、作業員の落下防止のための手摺２２を取り付けた構成となっている。方向Ｄ１，Ｄ２，Ｄ３，Ｄ４はそれぞれ、順にほぼ９０度ずつ異なる角度を向いている。杭１１は、図３に例示したような断面Ｈ型のＨ鋼であったり、あるいは断面円型の丸鋼であったりする。図３では、手摺２２の図示を省略している。
【００１７】
一方向開放形状の床２１は、上方から見たとき、図３から判るように、概略コの字型となっている。あるいは、一方向開放形状の床２１は、図３に曲線（破線）で示すように、概略Ｕ字型（あるいは半円型）であってもよい。床２１は、一体的に切り出された板（鉄板等）で構成されてもよいし、複数枚の板を繋げて構成されてもよい。また、床２１を構成する部材は、それらの間に隙間を設けていてもよい。なお図２，３は、ゴンドラ２０の全てを示している訳ではない。ゴンドラ２０は、例えば、金属製の枠組みに対して手摺２２や床２１に相当する部材を取り付けることにより構成されたものであってもよい。
【００１８】
ゴンドラ２０は、杭１１に対して開口部２３（床２１が存在しない側）を通過させることにより、杭１１の三方を囲んだ状態となったり（図３参照）、杭１１から離れたりすることができる。つまり、ゴンドラ２０の吊元は、ゴンドラ２０における開放された一方向（図３の例では方向Ｄ３）に沿って杭１１へ接近する向きと、杭１１から離間する向きとに移動可能である。
【００１９】
ゴンドラ２０は、複数本のワイヤーロープ３０により吊られている。図２，３の例では、ゴンドラ２０は、３本のワイヤーロープ３０により吊られている。具体的には、図３に示すように、ゴンドラ２０は吊元側からの視点で三角形（図３に示した２点鎖線参照）の頂点に位置する三カ所でワイヤーロープ３０により吊られている。各ワイヤーロープ３０の大よその位置を、図２では破線で示し、図３では黒丸で示している。このような三角形の頂点に位置する三カ所で吊ることで、ゴンドラ２０の空中姿勢が安定し易い。また、上方から見たとき、このような三角形の少なくとも一部は、作業対象となる杭１１の断面の少なくとも一部と重なる。
【００２０】
さらに図示するように、ゴンドラ２０において、ワイヤーロープ３０に吊られる前記三カ所は、ゴンドラ２０の足場（つまり床２１）の内周側に位置する。ゴンドラ２０の足場の内周側の複数箇所をワイヤーロープ３０で吊ることで、ゴンドラ２０の揺れを少なくし、また作業員の作業性を向上させることができる（ワイヤーロープ３０が作業の邪魔になりにくい）。ただし本発明による開示範囲は、ゴンドラ２０の足場の外周側をワイヤーロープ３０で吊ることを排除するものではない。
【００２１】
図３に破線で例示した各矩形は、ワイヤーロープ３０それぞれに対応して設けられた巻上げ装置２４である。巻上げ装置２４は、ウィンチとも呼ばれる。１本のワイヤーロープ３０は、１台の巻上げ装置２４に巻き付けれている。ゴンドラ２０に乗った作業員が各巻上げ装置２４を操作することで各巻上げ装置２４が駆動し、吊元からのゴンドラ２０の位置を変える（ゴンドラ２０を上昇／下降させる）ことができる。巻上げ装置２４自体は公知の物である。ゴンドラ２０において、巻上げ装置２４は、床２１より上に設置されてもよいし、床２１より下に設置されてもよい。巻上げ装置２４を、床２１より上に設置した場合（手摺２２で囲まれた空間内に設置した場合）、巻上げ装置２４を含むゴンドラ２０の全体形状をコンパクトに構成することができる。一方。巻上げ装置２４を床２１より下に設置した場合、床２１上のスペースが広くなり作業員の作業性が向上する。
【００２２】
図４は、各ワイヤーロープ３０の吊元（吊元４０）を含む構成の一例を斜視図により示している。図４では、杭１１の上端部を破線により示している。作業対象の杭１１の上端部の近傍には、吊元支持鋼５０が固定される。吊元支持鋼５０は、杭１１に対して直接に固定されてもよいし、何らかの部材を介して杭１１へ固定されてもよい。あるいは、杭１１の上端部近傍の他の部材（例えば、既に設置してある一部の主桁１４等）に、直接あるいは間接的に固定されてもよい。
【００２３】
上述したようにゴンドラ２０を三カ所で吊る場合、当該三カ所を吊る３本のワイヤーロープ３０に対応して、図４の例では３本の吊元支持鋼５０が互いに平行に配置される。吊元支持鋼５０は夫々が、ワイヤーロープ３０の吊元４０を支持するための長尺な部材であり、基本的に水平であり方向Ｄ１（Ｄ３）を向いてる。
【００２４】
吊元支持鋼５０は、例えば図４に示したように、断面Ｈ型のＨ鋼である。このようなＨ鋼（吊元支持鋼５０）の凹部５１に対して、ワイヤーロープ３０の上端を連結させた吊元４０がはめ込まれている。３本のワイヤーロープ３０の３個の吊元４０同士の位置関係は、上述の三角形（図３に示した２点鎖線参照）の頂点同士の位置関係にほぼ対応している。吊元４０は、不図示の滑車やベアリング等を介して凹部５１にはめ込まれており、吊元支持鋼５０の長尺方向に沿って移動可能である。
【００２５】
従って、ゴンドラ２０に乗った作業員が、例えば杭１１を手で押すことで吊元４０が吊元支持鋼５０に沿って方向Ｄ１へ移動し、ゴンドラ２０が杭１１から離間する。また、ゴンドラ２０に乗った作業員が、杭１１や杭１１にかけたロープ等を自分の側へ引き寄せることで吊元４０が吊元支持鋼５０に沿って方向Ｄ３へ移動し、ゴンドラ２０が杭１１へ接近する。
【００２６】
このように本実施形態によれば、ゴンドラ２０は、作業対象となる杭１１の四方を完全に囲う形状ではなく、一方向が開放された形状となっている。そのため、杭１１に取り付けられたゴンドラ２０をそのまま上下移動させたときに他の部材（鋼材１２，１３等）と接触してしまう（つまりゴンドラ２０を上下移動させられない）ような場合でも、当該接触を避けてゴンドラ２０を上下移動させることができる。つまり、ゴンドラ２０における前記開放された箇所（開口部２３）を利用して、ゴンドラ２０を杭１１から一旦離間させてから、昇降させ、その後、杭１１へ接近させることで、杭１１に取り付けられた鋼材１２，１３等との接触を避けて、ゴンドラ２０を杭１１に対して上下移動させることができる。この結果、ゴンドラ２０の移動の自由度が大きく向上し、ゴンドラ２０を使用した作業の効率化が実現する。
【００２７】
本発明は上述の実施形態に限られるものではなく、その要旨を逸脱しない範囲において種々の態様において実施することが可能である。
これまでは、吊元４０が吊元支持鋼５０に対して滑車等で移動するとしたが、例えば、吊元４０が、吊元支持鋼５０の長尺方向に沿った複数の固定位置のいずれかに固定されるとしてもよい。つまり、吊元４０が複数の当該固定位置のいずれかに、任意に取り付け／取り外しされることで、方向Ｄ１（方向Ｄ３）へのゴンドラ２０の移動（位置変化）が実質的に実現されるとしてもよい。
【００２８】
また、ゴンドラ２０を吊り下げるための吊下げ用部材として、ワイヤーロープ３０の替わりに、鎖（チェーン）等他の部材を使用してもよい。また、このようなゴンドラ２０を吊り下げるための吊下げ用部材の数は、３本より多くてもよい。
また、ゴンドラ２０の床２１は、例えば、メッシュ状の鋼材であってもよい。
【００２９】
また、ゴンドラ２０を上昇／下降させるための手段（巻上げ装置２４等）は、ゴンドラ２０の外に在ってもよい。例えば、ゴンドラ２０の吊元付近にこのような手段を配置してゴンドラ２０を上昇／下降させるとしてもよい。
【００３０】
また、ゴンドラ２０の変形型として、上方からの視点での床２１の形状が、図２，３に示したようなコの字型やＵ字型（あるいは半円型）ではなく、概略Ｌ字型である例も提案される。この場合、ゴンドラ２０は、杭１１の四方（方向Ｄ１，Ｄ２，Ｄ３，Ｄ４）のうち二方を囲い、残りの二方向を開放した形状となる。
【符号の説明】
【００３１】
１１…杭、２０…作業用ゴンドラ、２１…床、２２…手摺、２３…開口部、２４…巻上げ装置、３０…ワイヤーロープ、４０…吊元、５０…吊元支持鋼
【図１】
0006261089.tif 000002
【図２】
0006261089.tif 000003
【図３】
0006261089.tif 000004
【図４】
0006261089.tif 000005